(57)【要約】      （修正有）【課題】個人でも簡単に製作できる装飾体を提供する。【解決手段】フレーム部材３１を複数組み合わせることで形成される装飾体であって、フレーム部材は、線材を曲げることにより形成され、かつ所定形状の閉じられた領域を構成する外枠部３１ａを備えるようにする。【選択図】図２
0003234098.tif 000002
【実用新案登録請求の範囲】
【請求項１】
フレーム部材を複数組み合わせることで形成される装飾体であって、
フレーム部材は、線材を曲げることにより形成され、かつ所定形状の閉じられた領域を構成する外枠部を備えたことを特徴とする装飾体。
【考案の詳細な説明】
【技術分野】
【０００１】
本考案は、種々の装飾が施された装飾体に関する。
【背景技術】
【０００２】
従来から、造花、ランプ等の小型インテリアやアクセサリー、小物入れ等、様々な形状にデザイン化された装飾体が知られている（特許文献１参照）。
【先行技術文献】
【特許文献】
【０００３】
【特許文献１】実登３１４７７２１号
【考案の概要】
【考案が解決しようとする課題】
【０００４】
ところで、趣味の多様化が進む近年にあっては、上述のような装飾体を自ら製作したいと希望する人が増加している。
そこで、本考案は、上記事情によりなされたものであり、個人でも簡単に製作できる装飾体の提供を目的とする。
【課題を解決するための手段】
【０００５】
本考案は、フレーム部材を複数組み合わせることで形成される装飾体であって、フレーム部材は、線材を曲げることにより形成され、かつ所定形状の閉じられた領域を構成する外枠部を備えたことを特徴とする。
【考案の効果】
【０００６】
本考案によれば、個人でも簡単に製作できる装飾体を提供することができる。
【図面の簡単な説明】
【０００７】
【図１】本考案の実施の形態に係るランプ（装飾体）の斜視図であって、（Ａ）は、骨組み部が布部材で覆われた状態の斜視図であり、（Ｂ）は、骨組み部が布部材で覆われていない状態の斜視図である。
【図２】本考案の実施の形態に係るランプのフレーム部材の一例を示した図であって、（Ａ）は正面図であり、（Ｂ）は、斜視図である。
【図３】本考案の実施の形態に係るランプの製作工程を示したフロー図である。
【図４】本考案の実施の形態に係るランプのフレーム部材を作成している状態を示した図である。
【図５】本考案の実施の形態に係るランプのフレーム部材の外形を調整している状態を示した図である。
【図６】本考案の実施の形態に係るランプのフレーム部材の一例を示した斜視図である。
【図７】本考案の実施の形態に係るランプのフレーム部材の一例を示した正面図である。
【図８】本考案の実施の形態の変形例に係る造花（装飾体）の斜視図である。
【図９】本考案の実施の形態の変形例に係る造花の製作工程を示したフロー図である。
【図１０】本考案の実施の形態の変形例に係る造花のフレーム部材の外形を調整している状態を示した図である。
【考案を実施するための形態】
【０００８】
以下、本考案の実施の形態に係る装飾体ついて、ランプＬのアクセサリーを例として、図１〜図７を参照しつつ説明する。
【０００９】
（ランプＬの構成）
本形態に係るランプＬは、図１（Ａ）に示すように、本体部Ｌ１と、本体部Ｌ１を支持する支持部Ｌ２とを有して構成されている。
【００１０】
本体部Ｌ１は、光源であるランプ部１０と、ランプ部１０を覆うカバー部２０と、から構成されている。
【００１１】
ランプ部１０は、発光して華やかな印象を生じさせるものであり、本形態では、ＬＥＤランプ１１と、ＬＥＤランプ１１への電流源である電池１２とから構成されている。
【００１２】
カバー部２０は、ランプ部１０を収納する収納空間を構成するものであり、骨組み部３０と、骨組み部３０を覆う布部材４０とから構成されている。
【００１３】
骨組み部３０は、図１（Ｂ）に示すように、ランプ部１０の形状に対応するように、線材を曲げることで形成された外枠部を備えたフレーム部材３１を、複数組み合わせて構成されたものであり、カバー部２０の骨組みとなるものである。フレーム部材３１については、後程詳述する。
骨組み部３０を覆う布部材４０としては、例えば、ポリエステルやナイロン等の化学繊維や、絹、綿等の天然繊維で織られたもの等を採用することができ、また、無地のものや、種々の色や模様等が付されたものを採用することもできる。
【００１４】
支持部Ｌ２は、本体部Ｌ１を支持するものであり、この支持部Ｌ２を指等で把持することによりランプＬ全体を持ち上げたり、この支持部Ｌ２を所定の固定部材（例えば、スポンジ等）に突き刺すことによりランプＬを固定したりすることができるようになっている。なお、この支持部Ｌ２は、後述するフレーム部材３１の支持部３１ｂにより構成されるものである。
【００１５】
（フレーム部材３１）
本形態に係るランプＬにおいて、フレーム部材３１の材料としては、曲げることが可能で、かつ曲がった状態を維持することが可能な針金Ｗが用いられており、特に図示はしていないが、この針金Ｗは白色の樹脂により被覆されている。これにより、フレーム部材３１は白色の外観となっている。
【００１６】
フレーム部材３１は、図２に示すように、外枠部３１ａと、外枠部３１ａを支持する支持部３１ｂとを有している。なお、上記したように、この支持部３１ｂが、ランプＬの支持部Ｌ２を構成するものとなっている。
【００１７】
外枠部３１ａは、針金Ｗを輪状に捻じ曲げることにより形成された円環状の枠であり、枠内は円形状の閉じられた領域となっている。また、支持部３１ｂは、外枠部３１ａから外側方向に向かって延設されており、上記針金Ｗにより構成されている。
【００１８】
（ランプＬの製作工程）
次に、フレーム部材３１を用いてランプＬを製作する際の各工程について、図３のフローを参照しつつ説明する。
【００１９】
ます、ステップＳ１において、フレーム部材３１を作成する。
具体的には、図４に示すように、針金Ｗを円柱状の棒部材Ｓの側面を一周するように巻き付けて外枠部３１ａを作成し、この一周するように巻き付けられた針金Ｗを捩り、捩った針金Ｗの先端を延ばすことで支持部３１ｂを作成する。これにより、フレーム部材３１が作成される。
そして、ステップＳ２に進む。
【００２０】
ステップＳ２において、上述のステップＳ１で作成されたフレーム部材３１を複数組み合わせて、カバー部２０の骨組みとなる骨組み部３０を作成する。
具体的には、図５に示すように、円環状となっている外枠部３１ａを構成する針金Ｗを適宜曲げたり延ばしたりすることで、外枠部３１ａの外形を調整する。本形態では、外枠部３１ａの上部よりも下部の方が丸み帯びた形状（ほぼ涙形状）となるように、外形を調整している（図１及び図５等参照）。
そして、このように外枠部３１ａの外形を調整したフレーム部材３１を複数組み合わせて骨組み部３０を作成する。本形態では、外枠部３１ａを構成する針金Ｗ同士が互いに交差するように複数のフレーム部材３１を組み合わせて、骨組み部３０が作成されている（図１（Ｂ）参照）。これにより、交差した複数の外枠部３１ａによってランプ部１０を収納する収納空間が構成される。すなわち、骨組み部３０の交差した複数の外枠部３１ａによって形成される内部空間（骨組み部３０によって形成される内部空間）が、ランプ部１０を収納する収納空間となる。
そして、次のステップＳ３に進む。
【００２１】
ステップＳ３において、骨組み部３０によって形成される内部空間にランプ部１０を収納する。そして、ステップＳ４に進む。
【００２２】
ステップＳ４において、ランプＬの支持部Ｌ２を作成する。
具体的には、フレーム部材３１を組み合わせて骨組み部３０を形成すると、この骨組み部３０の下方に、組み合わせた各フレーム部材３１の支持部３１ｂが延びた状態となる。そして、これらの支持部３１ｂを互いに捩ったり、紐等で縛ったりして束ねることで支持部Ｌ２を形成する。
そして、次のステップＳ５に進む。
【００２３】
ステップＳ５において、骨組み部３０に布部材４０を貼り付ける。
具体的には、ランプ部１０が収納された骨組み部３０の外側全体を覆うように布部材４０を貼り付ける。
【００２４】
以上のように、円環状に形成された外枠部３１ａの外形を調整したフレーム部材３１を複数組み合わせることで、ランプ部１０の収納空間を構成する骨組み部３０を形成するので、作成者が望む形状の骨組み部３０を容易に作成することができる。これにより、作成者自らがデザインしたオリジナル形状のランプＬを容易に作成することができる。
【００２５】
なお、本形態では、１本の針金Ｗにより１つの外枠部３１ａ（フレーム部材３１）を形成していたが、これに限定されるものではない。例えば、図６に示すように、１本の針金Ｗにより複数（例えば２つ）の外枠部３１ａ（フレーム部材３１）を形成するようにしてもよい。
【００２６】
また、本形態では、フレーム部材３１の外枠部３１ａは円環状の枠となるように形成したが、枠内が閉じられた領域となっていれば、外枠部３１ａの形状は特に限定されるものではない。例えば、図７に示すように、矩形状の枠や星形状の枠となるように形成してもよい。
【００２７】
また、本形態では、針金Ｗによってフレーム部材３１を形成したが、曲げることが可能で、かつ曲がった状態を維持することが可能であれば、フレーム部材３１に用いる材料は特に限定されるものではない。例えば、樹脂からなるナイロンワイヤー等を用いてもよい。
【００２８】
次に、上述した実施の形態の変形例について、図８〜図１０を参照しつつ、以下説明する。以下に説明する変形例については、既に説明した実施の形態と異なる点についてのみ説明するものとし、同一の構成については同一の符号を付してその説明については省略するものとする。
【００２９】
上述した実施の形態に係る装飾体はランプＬのアクセサリーであったが、フレーム部材３１を複数組み合わせて形成される装飾体としては、これに限定されるものではなく、例えば、図８に示すように、インテリアとしての造花Ｆであってもよい。
造花Ｆにおいては、ランプＬのように骨組み部３０を備えておらず、１のフレーム部材３１の外枠部３１ａが、造花Ｆの１の花弁部分を構成するようになっている。すなわち、フレーム部材３１を複数組み合わせることで、複数の花弁部分を備えた造花Ｆが形成されることとなる。また、造花Ｆにおいては、ランプＬのように、組み合わせたフレーム部材３１の外側を覆うように布部材４０を貼り付けるのではなく、各フレーム部材３１の外枠部３１ａに対し、この外枠部３１ａにより構成される閉じられた領域を覆うように、布部材４０が貼り付けられるようになっている。
【００３０】
以下、フレーム部材３１を用いて造花Ｆを製作する際の各工程について、図９のフローを参照しつつ説明する。
造花Ｆを製作する場合であっても、ランプＬの製作時と同様に、フレーム部材３１を作成し（ステップ１０）、図１０に示すように、この作成されたフレーム部材３１の外枠部３１ａの外形を調整して花弁形状とする（ステップ２０）。次に、花弁形状に調整した外枠部３１ａに対し、布部材４０を貼り付ける（ステップ３０）。次に、布部材４０を貼り付けたフレーム部材３１を複数組み合わせて造花Ｆを作成する（ステップ４０）。最後に、フレーム部材３１の支持部３１ｂを束ねて、造花Ｆの茎部分を作成する（ステップ５０）。
【００３１】
以上のように、外枠部３１ａの外形を花弁形状に調整したフレーム部材３１を複数組み合わせることで、作成者自らデザインしたオリジナル形状の造花Ｆを容易に製作することができる。
【符号の説明】
【００３２】
Ｌ      装飾体（ランプ）
Ｌ１    本体部
Ｌ２    支持部
１０    ランプ部
２０    カバー部
３０    骨組み部
３１    フレーム部材
３１ａ  外枠部
３１ｂ  支持部
４０    布部材
Ｓ      棒部材
Ｗ      針金（線材）
Ｆ      造花（装飾体）
【図１】
0003234098.tif 000003
【図２】
0003234098.tif 000004
【図３】
0003234098.tif 000005
【図４】
0003234098.tif 000006
【図５】
0003234098.tif 000007
【図６】
0003234098.tif 000008
【図７】
0003234098.tif 000009
【図８】
0003234098.tif 000010
【図９】
0003234098.tif 000011
【図１０】
0003234098.tif 000012